(57)【要約】      （修正有）【課題】記念品として最適で、従来にない価値を生み出すことのできる陶芸物を提供する。【解決手段】陶芸物である焼物本体１は、特定の色を有する粘土性の素地である陶土２に、素地の色とは異なる色を有する粒状の特定の土３を分散させて焼き上げた器を含み、特定の土を分散させた痕跡が表面に現れている。焼物本体は、陶土の表面に特定の土を含むコーティング膜により模様を形成して焼きあげ、コーティング膜は素地上に所定の厚みを有しており、膜上に粒子が凸状に現れており、コーティング膜中に特定の土を含んでいる、あるいは、特定の色を有する陶土の表面に形成したくぼみに異なる色の土を陶土に混ぜて埋め込んだ痕跡が現れている。【選択図】図１
0003173901.tif 000002
【実用新案登録請求の範囲】
【請求項１】
特定の色を有する粘土性の素地に、前記素地の色とは異なる色を有する粒状の特定の土を分散させて焼き上げ、前記特定の土を分散させた痕跡が表面に現れていることを特徴とする陶芸物。
【請求項２】
前記粒の形が表面に模様として現れているか、粒が表面から凸状の形状として現れている、請求項１に記載の陶芸物。
【請求項３】
前記特定の土は非粘土性の土であり、前記素地に対して２０％以下の含有量である、請求項１または２に記載の陶芸物。
【請求項４】
前記特定の土は、ガラス質、可塑性、溶融性の少なくともいずれかの性質を有している、請求項１〜３のいずれかに記載の陶芸物。
【請求項５】
粘土性の素地の表面に特定の土を含むコーティング膜により模様を形成して焼きあげ、前記コーティング膜は素地上に所定の厚みを有しており、膜上に粒子が凸状に現れており、コーティング膜中に特定の土を含んでいる痕跡が現れている、陶芸物。
【請求項６】
前記特定の土は、泥状の土である、請求項５に記載の陶芸物。
【請求項７】
特定の色を有する粘土性の素地の表面に前記素地とは異なる色の特定の土で模様を形成して焼き上げ、前記特定の土の痕跡が表面に現れていることを特徴とする陶芸物。
【請求項８】
前記粘土性の素地の表面にくぼみを形成して、そのくぼみに前記特定の土を含む土を埋込み、
前記埋め込まれた特定の土の表面は、前記素地の表面と同一面を構成しているかあるいは凹凸面を有している、請求項７に記載の陶芸物。
【請求項９】
前記特定の土は、複数の異なる土を含む、請求項１〜８のいずれかに記載の陶芸物。
【請求項１０】
前記素地は陶土である、請求項１〜９のいずれかに記載の陶芸物。
【請求項１１】
前記陶芸物は、陶磁器の器あるいは置物である、請求項１〜１０のいずれかに記載の陶芸物。
【考案の詳細な説明】
【技術分野】
【０００１】
この考案は、粘土性の陶土で形作り焼き固めた器や置物などのような陶芸物に関する。
【背景技術】
【０００２】
例えば、結婚式において参列者に引き出物が手渡されるが、新郎新婦が引き出物を選ぶとき、その引き出物を見ただけで自分たちの結婚式の記念であると後々まで思い出させるものを希望する。引き出物として陶磁器などの器を選ぶことがあるが、市販されている陶磁器は、材質やデザインや模様などが予め決められた既製品が多い。包装箱などに記念品である旨の文字を印刷するだけで済ましてしまっている。しかし、包装箱などは捨ててしまうため、後にその陶磁器を見ても誰の結婚式の引き出物であったのか思い出として残らない。
【０００３】
また観光地を訪れて、その土地の名産品の陶磁器を購入しても、後々どこの観光地で購入したものか印象に残らないことが多い。
【０００４】
特許文献１には、任意の文字などを陶磁器の表面に描写する方法が記載されている。この方法を用いれば、陶磁器などにどのような記念であるかを文字によって表すことは可能である。
【先行技術文献】
【特許文献】
【０００５】
【特許文献１】特開２００１−２３３６６３号公報
【考案の概要】
【考案が解決しようとする課題】
【０００６】
しかし、陶磁器に文字を表すためには、陶磁器の購入者自身が文字を書き込む必要がある。このことは、購入者自身が陶磁器に対する造詣がなければ、十分な品質のものを制作できず、購入者自身に多大な負担がかかることになる。
【０００７】
そこで、この考案は、記念品として最適で、従来にない価値を生み出すことのできる陶芸物を実現することを目的とする。
【課題を解決するための手段】
【０００８】
この考案は陶芸物であって、特定の色を有する粘土性の素地に、素地の色とは異なる色を有する粒状の特定の土を分散させて焼き上げ、特定の土を分散させた痕跡が表面に現れていることを特徴とする。
【０００９】
より好ましくは、粒の形が表面に模様として現れているか、粒が表面から凸状の形状として現れている。模様あるいは形状により特定の土を分散させた痕跡として残すことができる。
【００１０】
より好ましくは、特定の土は、素地に対して２０％以下の含有量である。含有量を２０％以下にすることにより、形状を形作ったときにもろくなることがない。
【００１１】
より好ましくは、特定の土は、ガラス質、可塑性、溶融性の少なくともいずれかの性質を有している。このような性質を有しているので、窯で加熱したときに溶けて素地である陶土に溶け込みやすくなる。
【００１２】
この考案の他の局面は陶芸物であって、粘土性の素地の表面に特定の土を含むコーティング膜により模様を形成して焼きあげ、コーティング膜は素地上に所定の厚みを有しており、膜上に粒子が凸状に現れており、コーティング膜中に特定の土を含んでいる痕跡が現れている。
【００１３】
より好ましくは、特定の土は、泥状の土である。泥状であるため、コーティングしやすくなる。
【００１４】
この考案のさらに他の局面は陶芸物であって、特定の色を有する粘土性の素地の表面に素地とは異なる色の特定の土で模様を形成して焼き上げ、特定の土の模様の痕跡が表面に現れていることを特徴とする。
【００１５】
より好ましくは、特定の土の表面は、素地の表面と同一面を構成しているかあるいは凹凸面を有している。凹凸面を形成することにより、特定の土を埋め込んだ痕跡をより顕著に表すことができる。
【００１６】
より好ましくは、特定の土は、複数の異なる土を含む。新郎新婦の実家の土を混ぜて陶土に分散させることができる。
【００１７】
より好ましくは、素地は陶土である。陶土は粘土性があるので、器や置物を制作するのに好適である。
【００１８】
より好ましくは、陶芸物は陶磁器の器あるいは置物である。記念品として種々のものを提供できる。
【考案の効果】
【００１９】
この考案によれば、入手した土を素地に混入した痕跡あるいはコーティング膜中に特定の土を含んでいる痕跡が現れるので、月日が経ってもいつまでも世の中に他に存在しない陶芸物を最適な記念品として残すことができ、従来にない価値を生み出すことができる。
【図面の簡単な説明】
【００２０】
【図１】この考案の一実施形態の焼物本体１を示す正面図である。
【図２】図１に示した焼物本体１の縦断面図であり、（ａ）は縦断面図の一例であり、（ｂ）は縦断面図の他の例である。
【図３】この考案の他の実施形態の焼物本体１ａを示す正面図である。
【図４】図３に示した焼物本体１ａの縦断面図である。
【図５】この考案のその他の実施形態の焼物本体１ｂを示す正面図である。
【図６】図１に示した焼物本体１の制作工程を示す図である。
【図７】包装部材２０の外観図である。
【図８】焼物本体１を包装部材２０で包装する作業を示す図である。
【図９】焼物本体１が包装された状態を示す外観図である。
【図１０】図３に示した焼物本体１ａの制作工程を示す図である。
【図１１】図５に示した焼物本体１ｂの制作工程を示す図である。
【考案を実施するための形態】
【００２１】
この考案は、従来にない新たな試みとして、陶土に、記念となる実在の土を混在させて、実在の土を混在させたことを痕跡として残すことにより記念品として、従来にない価値を生み出す陶芸物を実現するものであり、図１および図２を参照して一実施形態について説明する。
【００２２】
陶芸物の一例の焼物本体１は、素地である陶土２中に特定の土３を分散させて湯のみ形状に成形して焼き上げたものである。たとえば、結婚式において新郎新婦から、それぞれの両親に対して、この世に他に存在しないものを結婚の記念としてプレゼントしたいという要望がある。そこで、新郎新婦のそれぞれの実家の特定の土３を採取して混ぜ合わせ、さらにその土３を焼物の素地である粘土性の陶土２に混ぜ合わせる。
【００２３】
ブライダル商品のみならず、観光として訪れた土地の土を持ち帰って陶土に混ぜ合わせて、器を形成してもよい。器の表面には、器を焼き上げた後、訪れた土地の土を混ぜ合わせた痕跡が現れるので、完成した陶芸物を見るたびに訪れた土地の思い出をいつまで経っても記念として残すことができる。
【００２４】
焼物本体１の形状は、湯のみに限ることなく、ビアカップ、茶碗、皿などであってもよい。また、焼物本体１の高さ、直径などの大きさは大、中、小のいずれでもよい。さらに焼物本体１として、時計のメカニズムを収納できるようにした置物や、筆入れやその他の置物などであってもよい。
【００２５】
焼物本体１は、底部４と、底部４の周縁部から上方に立ち上がる側壁部５とを含む。焼物本体１の素地は特定の色として第１の色を有する粘土性のある陶土２であり、陶土２に記念となる特定の土３が混ぜ合わされている。特定の土３は陶土２の色とは異なる第２の色を有し、たとえば粗めの砂や石を粉砕した粒子を含む。
【００２６】
陶土２の色と特定の土３は色が異なっているので、陶土２に特定の土３が分散していることが痕跡として現れている。特に、特定の土３として粒子を使用したとき、土３の粒子が陶土２の中に混じりあっているのみならず、図２（ａ）に示すように土３の粒子の形が側壁部３の表面に模様として現れているか、あるいは図２（ｂ）に示すように土３の粒子の形自体が側壁部３から凸状に現れている。特定の土３が鉄分を含んでいれば、焼き上げると、赤茶っぽい色として表すことができる。その他の金属を含む土を用いてもよい。
【００２７】
なお、焼物本体１には、印花あるいは無地などの下地装飾が施され、キセト、青磁、土灰などの釉薬が塗布されて焼き上げられている。釉薬は焼物本体１の側壁部５の内面と外面が同じ色あるいは異なる色となるように塗布してもよい。また、焼物本体１の底部４に記念の土であることを説明するメッセージを入れるようにしてもよい。
【００２８】
焼き上げられた焼物本体１は、素地である陶土２自体が有している第１の色をベースとして、第２の色を有する土３の粒子が模様あるいは形状として現れる。したがって、同じ素地である陶土２で同じ形状の器を形作っても、土３の粒子自体はそれぞれ異なっているので、この世に他にない焼物を制作できる。図１、図２に示した焼物本体１は、記念品として配布される。
【００２９】
図３および図４は、この考案の他の実施形態の焼物本体１ａを示す図であり、特に図３は正面図を示し、図４は縦断面図を示す。
【００３０】
焼物本体１ａは、素地である陶土２で湯のみ形状に成形し、表面に特定の土６を含むコーティング膜により模様を形成して焼きあげたものである。この例においても、焼物本体１ａの形状は、湯のみに限ることなく、ビアカップ、茶碗、皿などの器やその他の置物などであってもよい。
【００３１】
焼物本体１ａは、図１と同様にして底部４と側壁部５とを含む。焼物本体１ａの素地は粘土性のある陶土２であり、素地の表面に特定の土６を含むコーティング膜７により模様を形成して焼きあげて構成されている。特定の土６はコーティングするのに最適なように非粘土性、あるいは粘土性のどろ状の土が用いられており、細かい砂状の粒子８を含んでいる。コーティング膜７は素地の陶土２上に所定の厚みを有しており、コーティング膜７上に粒子８が凸状に現れる。粒子８は鉄分などの金属を含んでいてもよい。
【００３２】
焼物本体１ａには、下地装飾が施され、釉薬が塗布されて焼き上げられている。焼き上げられた焼物本体１ａの素地である陶土２に対して、コーティング膜７中に特定の土６を含んでいる痕跡が模様として現れている。したがって、同じ素地である陶土２で同じ形状の器を形作っても、コーティング膜７自体はそれぞれ異なっているので、この世に他にない焼物を制作できる。
【００３３】
図５はこの考案のその他の実施形態の焼物本体１ｂを示す図である。
【００３４】
この実施形態における焼物本体１ｂは、図１と同様にして底部４と側壁部５とを含む。焼物本体１ｂの素地は特定の色を有する粘土性のある陶土２であり、素地の表面に象嵌により文字や図形などにより模様を形成したものである。模様となる文字や図形などの部分にくぼみ１３を形成し、その部分に陶土２とは異なる色を有する特定の土９を陶土に混ぜて埋め込む。くぼみ１３は特定の土９を埋め込むために深さは浅くても深くてもよくあるいは外面から内面に貫通する溝であってもよい。また、くぼみ１３を形成することなく、素地の表面に直接特定の土９で模様などを形成してもよい。くぼみ１３に埋め込まれた特定の土９の表面は、陶土２の表面と均一であってもよく、あるいは陶土２の表面に対して突出、あるいはくぼんでいて凹凸面を構成していてもよい。凹凸面により、埋め込んだ痕跡をより顕著に表すことができる。
【００３５】
焼物本体１ｂには、下地装飾が施され、釉薬が塗布されて焼き上げられている。焼き上げられた焼物本体１ｂの素地である陶土２に対して、表面に形成された模様に素地とは色が異なる特定の土９を埋め込んだ痕跡が文字や図形などの模様として現れている。したがって、同じ素地である陶土２で同じ形状の器を形作っても、特定の土９自体はそれぞれ色が異なっているので、この世に他にない焼物を制作できる。
【００３６】
図６は、図１，２に示した焼物本体１を製作する手順を説明するための図である。
【００３７】
図６に示す（ａ１）〜（ａ７）、（ｂ１）、（ｂ２）を参照して、焼物本体１を製造する手順について説明する。
【００３８】
（ａ１）製造者側で陶土２を購入する。陶土２は、より好ましくは信楽の土や、唐津の土などの陶芸物の産地から出土される粘土性の陶土が用いられる。
【００３９】
（ｂ１）消費者側は希望する特定の土３を入手する。土３として、例えば新郎，新婦の各実家の土を混ぜ合わせたもの、すなわち複数の異なる土が用いられる。土３として、その他に、北海道阿寒湖周辺の土、鹿児島の桜島の火山灰、富士山の土など旅行先の思い出の土を使用してもよい。より好ましくは、土３はふるいをかけて選ばれた比較的粗い粒子のものを使用する。土３は、粘土性でない砂などの粒状のものであり、ガラス質、可塑性、溶融性の少なくともいずれかの性質を有している。このような性質を有しているので、窯で加熱したときに溶けて素地である陶土に溶け込みやすくなる。消費者側で入手した土３を製造者側に提供する。
【００４０】
（ｂ２）消費者は制作を希望する陶芸物の種類、大きさ、模様、色合いなどを製造者側に指示する。すなわち、陶芸物の種類として、器や置物などの輪郭、大きさとして大、中、小など、模様としての下地装飾として、例えば「白化粧ドボ掛け」、「白化粧刷毛目」、「白化粧印花紋」などのいずれかを指定し、色合いを決める釉薬は例えば「キセト」、「青磁」、「土灰」などのいずれかを指定する。
【００４１】
（ａ２）製造者側で陶土２と土３とを混ぜ合わせる。土３を陶土２に対して混ぜる割合は、土３が粘土性でない場合は、多くても２０％以下にするのが好ましい。粘土性でない場合、多すぎると陶芸物を形成したときにもろくなるからである。
【００４２】
（ａ３）製造者側では、陶土２と土３とを混ぜ合わせた土を使用して轆轤を用いて、指定された陶芸物として、例えば器１０を形作る。
【００４３】
（ａ４）製造者は、消費者から指定された下地装飾を器１０に施し、釉薬を塗布する。下地装飾を施した後、素焼きしてもよい。
【００４４】
（ａ５）製造者は器１０を窯に入れて焼き上げることにより焼物本体１が完成する。
【００４５】
（ａ６）製造者は完成した焼物本体１を包装する。包装のために図７に示す中抜きされた四角形状の枠部材２１と、枠部材２１の中抜き領域を覆うように枠部材２１に張り付けられた透明シート２２とからなる包装部材２０を準備する。図８に示すように、二つの枠部材２１によって焼物本体１を両側から挟み込み、一方の枠部材２１と他方の枠部材２１とを互いに連結する。その結果、図９に示すように、焼物本体１が包装部材２０によって支持されて包装されることになる。このように包装された焼物本体１が透明シート２２によって挟み込まれて支持されることにより、焼物本体１を消費者から見て可視状に包装できるので、プレゼントとしての付加価値をさらに高めることができる。
【００４６】
（ａ７）製造者は、包装部材２０によって包装された焼物本体１を消費者に届ける。消費者は、自己が採取した土３を包含する焼物本体１を、入手できる。
【００４７】
このように、消費者は希望する土を持ち込むだけで、製造者側においてその土を焼物の素地の一部に含ませて陶芸物を製作できるので、この世に二つとない個性を備えるものを入手できる。したがって、プレゼント用としても非常に付加価値の高いものとなる。
【００４８】
従来は、消費者がこのような陶芸物を手に入れたい場合、消費者自ら陶芸物を製作しなければならなかった。そのためには、消費者自ら陶芸物を製作するための知識や技能を取得しなければならないが、それには時間と費用がかかる。
【００４９】
本願考案の実施例では、入手した土を混入した痕跡が現れるので、月日が経ってもいつまでも陶芸物を記念品として残すことができる。しかも、消費者は、混ぜ合わせようとする土のみを製造者に提供し、形状や模様などを指定するだけで、所望の陶芸物を簡単に入手できるので、わざわざ専門的な知識を取得する必要はなく、実質的な焼物の製造工程に携わることもない。
【００５０】
図１０は、図３、図４に示した焼物本体１ａを製作する手順を説明するための図である。次に、図１０に示す（ａ１１）〜（ａ１７）、（ｂ１１）、（ｂ１２）を参照して、焼物本体１ａを製造する手順について説明する。
【００５１】
（ａ１１）製造者側で陶土２を購入する。
【００５２】
（ｂ１１）消費者側は希望する特定の土６を入手する。土６は細かい粒子状の土を含むどろ状のものである。
【００５３】
（ｂ１２）消費者は制作を希望する陶芸物の種類、大きさ、模様、色合いなどを製造者側に指示する。
【００５４】
（ａ１２）製造者は陶土２を使用して轆轤を用いて器１１を形作り、仮焼する。なお、製造者は、器１１などの陶芸物は実際に制作することなく、他の焼物製造者から仕入れてもよい。
【００５５】
（ａ１３）仮焼された器１１の表面にコーティング膜７を形成する。コーティング膜７は、泥状の粘土に上記した記念となる特定の土６を混ぜたものを、仮焼された器１１の表面に、所定の模様となるように筆などにより塗ることにより形成される。コーティング膜７は陶土２上に所定の厚みを有しており、膜上に粒子８が凸状に現れている。
【００５６】
（ａ１４）製造者は、消費者から指定された下地装飾を器１１に施し、釉薬を塗布する。下地装飾を器１１に施した後、素焼きしてもよい。
【００５７】
（ａ１５）製造者は器１１を窯に入れて焼き上げることにより焼物本体１ａが完成する。
【００５８】
（ａ１６）製造者は完成した焼物本体１ａを図６〜図８に示した包装部材２０で包装する。
【００５９】
（ａ１７）製造者は、包装部材２０によって包装された焼物本体１ａを消費者に届ける。
【００６０】
この実施例においても、焼物本体１ａには、入手した土６を塗布した痕跡が現れるので、月日が経ってもいつまでも思い出として残すことができる。しかも、消費者は、混ぜ合わせようとする土６のみを提供するだけで、表面に土６をコーティングした所望の焼物本体１ａを入手できるので、わざわざ専門的な知識を取得する必要はない。
【００６１】
図１１は、図５に示した焼物本体１ｂを製作する手順を説明するための図である。次に、図１１に示す（ａ２１）〜（ａ２７）、（ｂ２１）、（ｂ２２）を参照して、焼物本体１ｂを製造する手順について説明する。
【００６２】
（ａ２１）製造者側で特定の色を有する陶土２を購入する。
【００６３】
（ｂ２１）消費者側は希望する特定の土９を入手する。土９は陶土２とは異なる色を有している。土９は、ガラス質、可塑性、溶融性の少なくともいずれかの性質を有している。
【００６４】
（ｂ２２）消費者は制作を希望する陶芸物の種類、大きさ、模様、色合いなどを製造者側に指示する。
【００６５】
（ａ２２）製造者は陶土２を使用して轆轤を用いて器１２を形作り、文字部分にくぼみ１３を形成する。なお、製造者は、器１２などの陶芸物は実際に制作することなく、他の焼物製造者から仕入れてもよい。
【００６６】
（ａ２３）器１２のくぼみ１３に土９を陶土に混ぜて埋め込む。
【００６７】
（ａ２４）製造者は、消費者から指定された下地装飾を器１２に施し、釉薬を塗布する。下地装飾を器１２に施したのち、素焼きしてもよい。
【００６８】
（ａ２５）製造者は器１２を窯に入れて焼き上げることにより焼物本体１ｂが完成する。
【００６９】
（ａ２６）製造者は完成した焼物本体１ｂを図７〜図９に示した包装部材２０で包装する。
【００７０】
（ａ２７）製造者は、包装部材２０によって包装された焼物本体１ｂを消費者に届ける。
【００７１】
この実施例においても、焼物本体１ｂには、陶土２に形成したくぼみ１３に入手した土９を埋め込んだ痕跡が現れるので、月日が経ってもいつまでも思い出として残すことができる。しかも、消費者は、混ぜ合わせようとする土９のみを提供するだけで、表面に土９を埋め込んだ所望の焼物本体１ｂを入手できるので、わざわざ専門的な知識を取得する必要はない。
【００７２】
なお、上述の説明では、消費者が特定の土を製造者に提供し、製造者で器などを制作するようにしたが、これに限られることはない。例えば、陶芸教室において受講者が特定の土を持ち込み、講師の指導のもとに受講者自身が陶芸物を制作するようにしてもよい。
【００７３】
以上、図面を参照して本考案の実施の形態を説明したが、本考案は、図示した実施の形態のものに限定されない。図示した実施の形態に対して、本考案と同一の範囲内において、あるいは均等の範囲内において、種々の修正や変形を加えることが可能である。
【産業上の利用可能性】
【００７４】
本考案は、思い出の残る記念品として最適な陶芸物を提供するものであり、器や置物などに有利に利用される。
【符号の説明】
【００７５】
１，１ａ, 1 ｂ  焼物本体、２  陶土、３，６，９  土、４  底部、５  側壁部、７  コーティング膜、８  粒子、１０，１１，１２  器、１２  くぼみ、２０  包装部材、２１  枠部材、２２  透明シート。
【図１】
0003173901.tif 000003
【図２】
0003173901.tif 000004
【図３】
0003173901.tif 000005
【図４】
0003173901.tif 000006
【図５】
0003173901.tif 000007
【図６】
0003173901.tif 000008
【図７】
0003173901.tif 000009
【図８】
0003173901.tif 000010
【図９】
0003173901.tif 000011
【図１０】
0003173901.tif 000012
【図１１】
0003173901.tif 000013